(57)【特許請求の範囲】
【請求項１】
障害物が存在する地山内をカッターヘッドで掘削しつつ、掘進可能なシールド機であって、
前記障害物を切断するための切削チップが取り付けられた回転体を有する切断装置が前記カッターヘッド内に、当該切断装置の回転軸が当該シールド機の進行方向と略平行になるように、前記カッターヘッドの外周側端部にのみ設けられ、前記回転体が前記カッターヘッドよりも進行方向前方に突出するように設置されていることを特徴とするシールド機。
【請求項２】
前記回転体は、頂点が進行方向前方に向いた円錐形状を有し、その円錐面に複数の前記切削チップが取り付けられていることを特徴とする請求項１に記載のシールド機。
【請求項３】
前記回転体は、円盤形状を有し、その前面に複数の前記切削チップが取り付けられていることを特徴とする請求項１に記載のシールド機。
【請求項４】
前記切断装置は、前記カッターヘッドに設けられた開口部に対して出没可能に構成され、前記カッターヘッドに没入したときに、前記開口部を閉止する開閉装置を備えることを特徴とする請求項１〜３のうち何れか１項に記載のシールド機。
【請求項５】
地山内に存在する障害物を切断するための切削チップが取り付けられた回転体を有する切断装置がカッターヘッド内に、当該切断装置の回転軸が進行方向と略平行になるように、前記カッターヘッドの外周側端部にのみ設けられ、前記回転体が前記カッターヘッドよりも進行方向前方に突出するように設置されているシールド機を用いて地山を掘削する掘進工法において、
前記カッターヘッドを駆動させて地山を掘削しながら、前記切断装置の前記回転体を駆動させて前記障害物を切断することを特徴とするシールド機の掘進工法。
【発明の詳細な説明】
【技術分野】
【０００１】
本発明は、地山内に存在するドレーン材等の障害物を切断するための切断装置を備えたシールド機及びそのシールド機の掘進工法に関する。
【背景技術】
【０００２】
地盤改良工法の一つとして、ドレーン材を地山に挿入し、地下水を排水する方法が用いられている。このような工法で地盤改良された地山内をシールド機で掘進する際は、切羽面に露出して掘進の障害となるドレーン材を切断しなければならない。
【０００３】
そのドレーン材を切断する方法として、例えば、特許文献１には、カッターヘッドの外周側端部及び中央部付近に、そのカッターヘッドの前面よりも進行方向前方に突出するように設けられた円盤状の丸刃カッターを水平に回転させながら、カッターヘッドによる地山の掘削よりも先行してドレーン材を切断することが開示されている。
【０００４】
また、特許文献２には、カッターヘッドの外周側端部及び中央部付近に、そのカッターヘッドの前面よりも進行方向前方に突出するように設けられたドレーン材用ブレードと、このドレーン材用ブレードをメンテナンスするために、隔壁を貫通するとともに、シールド機本体内側に突出するように設けられた交換室と、を備えたシールド機で、カッターヘッドによる地山の掘削よりも先行してドレーン材を切断することが開示されている。
【先行技術文献】
【特許文献】
【０００５】
【特許文献１】特開平６−１６７１９２号公報
【特許文献２】特開平７−４１８０号公報
【発明の概要】
【発明が解決しようとする課題】
【０００６】
しかしながら、特許文献１に記載のシールド機では、丸刃カッターは薄いので、破損しやすいという問題点があった。
【０００７】
また、特許文献２に記載のシールド機では、ドレーン材用ブレードの回転軸がシールド機の進行方向に対して直交するように配置されているため、ドレーン材の切断時に、回転軸に対して垂直に反力が作用するので耐久性に問題点があると考えられる。
【０００８】
そこで、本発明は、上記のような従来の問題に鑑みなされたものであって、掘削予定箇所に存在するドレーン材等の障害物を切断可能で、耐久性に優れた切断装置を備えたシールド機及びそのシールド機を用いた掘進工法を提供することを目的とするものである。
【課題を解決するための手段】
【０００９】
本発明は、障害物が存在する地山内をカッターヘッドで掘削しつつ、掘進可能なシールド機であって、
前記障害物を切断するための切削チップが取り付けられた回転体を有する切断装置が前記カッターヘッド内に、当該切断装置の回転軸が当該シールド機の進行方向と略平行になるように、前記カッターヘッドの外周側端部にのみ設けられ、前記回転体が前記カッターヘッドよりも進行方向前方に突出するように設置されていることを特徴とする。
【００１０】
本発明によれば、切断装置がカッターヘッドよりも進行方向前方に突出するように設けられているので、障害物を切断装置で切断した後にその障害物の周囲の地山をカッターヘッドで掘削することができる。
また、前記切断装置は、前記カッターヘッドの外周側端部にのみ設けられるので、カッターヘッドが回転する際に、当該カッターヘッドによる掘削箇所に存在する障害物の上端部及び下端部をそれぞれ切断することができる。したがって、地山掘削時に、掘削予定箇所の上方及び下方に存在する障害物を引き込むことなく、掘削予定箇所に存在する障害物のみを撤去することができる。
【００１１】
また、切断装置の回転軸は、シールド機の進行方向に略平行になるように設けられているので、障害物を切断する際の反力は回転軸の軸方向に作用し、回転軸に対して垂直に作用する力は小さい。このため、特許文献２に記載されたドレーン用ブレードのごとく回転軸に対して垂直な力が作用するように配置されている場合に比べて、耐久性が向上する。
また、回転軸は、その軸方向に作用する力に対しては、大きな耐力を有するので、回転体を大きな力で障害物に押し付けることができる。したがって、効率良く障害物を切断することができる。
【００１２】
また、本発明において、前記回転体は、頂点が進行方向前方に向いた円錐形状を有し、その円錐面に複数の前記切削チップが取り付けられていることとしてもよい。このようにすれば、円錐形状の回転体は剛性強度が高いので、より大きな力で効率的に障害物を切断することができる。また、回転体の円錐面が障害物に面的に接触することとなり、この円錐面に取り付けられた複数の切削チップにより、障害物を切断することができるので、短時間で効果的に障害物を切断することができる。
【００１３】
あるいは、本発明において、前記回転体は、円盤形状を有し、その前面に複数の前記切削チップが取り付けられていることとしてもよい。
【００１５】
本発明において、前記切断装置は、前記カッターヘッドに設けられた開口部に対して出没可能に構成され、前記カッターヘッドに没入したときに、前記開口部を閉止する開閉装置を備えることとすれば、切断装置をシールド機本体内に没入させた状態で効率良く、かつ、安全にメンテナンスすることができる。
【００１６】
また、本発明は、地山内に存在する障害物を切断するための切削チップが取り付けられた回転体を有する切断装置がカッターヘッド内に、当該切断装置の回転軸が進行方向と略平行になるように、前記カッターヘッドの外周側端部にのみ設けられ、前記回転体が前記カッターヘッドよりも進行方向前方に突出するように設置されているシールド機を用いて地山を掘削する掘進工法において、
前記カッターヘッドを駆動させて地山を掘削しながら、前記切断装置の前記回転体を駆動させて前記障害物を切断することを特徴とする。
【００１７】
本発明によれば、切断装置をカッターヘッドに先行させて駆動させるので、障害物を切断装置で切断した後にその障害物の周囲の地山をカッターヘッドで掘削することとなる。そして、カッターヘッドが回転することにより、掘削予定箇所に存在する障害物の上端部及び下端部をそれぞれ切断することができる。したがって、地山掘削時に、掘削予定箇所の上方及び下方に存在する障害物を引き込むことなく、掘削予定箇所に存在する障害物のみを撤去することができる。
【発明の効果】
【００１８】
本発明によれば、切断装置の破損や摩耗が少なくなり、長期間使用することができる。
【図面の簡単な説明】
【００１９】
【図１】本発明の第一実施形態に係るシールド機の正面図である。
【図２】本発明の第一実施形態に係るシールド機の側断面図である。
【図３】図１のＡ部を拡大した図である。
【図４】図３のＢ−Ｂ断面図である。
【図５】切断装置の格納方法を示す図である。
【図６】切断装置のメンテナンス方法を示す図である。
【図７】本発明の第二実施形態に係る切断装置の側断面図である。
【発明を実施するための形態】
【００２０】
以下、本発明の好ましい実施形態について図面を用いて詳細に説明する。本実施形態においては、地山内をシールド機で掘進する際に、切羽面に露出して掘進の障害物となる地盤改良用のドレーン材を切断する場合について説明するが、これに限定されるものではなく、地山内に存在する材木、松杭、鋼管杭、セメント杭、岩石、岩盤等の障害物を切断する場合にも適用可能である。
【００２１】
図１及び図２は、本発明の第一実施形態に係るシールド機１の正面図及び側断面図である。
図１及び図２に示すように、矩形シールド機１は、外殻２内に縦横に所定の組み合せで配列されるとともに、それぞれが独立して推進可能、かつ、それぞれが独立して駆動可能な複数の矩形状の主シールド３と、各主シールド３を進退させるためのシールドジャッキ５と、各主シールド３の前面側に回転可能に設けられたカッターヘッド６と、掘削土砂を排出するためのコンベア７と、を備えている。
【００２２】
図３は、図１のＡ部を拡大した図である。図３に示すように、シールド機１は、各カッターヘッド６の前面の外周側端部にドレーン材を切断するための切断装置８を備える。切断装置８は、各カッターヘッド６の前面に設けられた開口部９内に設けられ、それぞれが独立して出没可能、かつ、それぞれが独立して駆動可能である。なお、本実施形態においては、各カッターヘッド６に切断装置８を１台ずつ設置したが、これに限定されるものではなく、構築するトンネルの掘削断面の大きさ等に応じて複数台設置してもよい。
【００２３】
図４は、図３のＢ−Ｂ断面図である。なお、図４以降の図面では、カッターヘッド６の前面に取り付けられているカッタービットの記載は省略している。
図４に示すように、切断装置８は、ドレーン材を切断するための複数の切削チップ１２と、これらの切削チップ１２が取り付けられた円錐形状の回転体１３と、回転体１３を回転させるためのモーター１５と、モーター１５及び回転体１３を前後進させてカッターヘッド６本体から出没可能とするための引込用ジャッキ１１と、を備える。回転体１３は、円錐形状の頂点が進行方向を向くように配置される。
【００２４】
切断装置８は、回転体１３の回転軸がカッターヘッド６の回転軸、つまり、シールド機１の進行方向と略平行になるように設置されている。また、回転体１３はカッターヘッド６の前面から進行方向前方に突出するように設置されている。
【００２５】
切断装置８を備えたシールド機１を用いてドレーン材が存在する地山を掘削する際は、切断装置８の回転体１３をカッターヘッド６の前面よりも進行方向前方に突出させた状態で、カッターヘッド６を回転させつつ、回転体１３も回転させて掘削予定箇所に存在するドレーン材を切削チップ１２で切断する。その際、切断装置８は、カッターヘッド６の外周側端部に設けられていて、かつ、シールド機１の前面には複数のカッターヘッド６が設けられているので、掘削予定箇所に存在するドレーン材の上端及び下端を切断することができる。
【００２６】
また、回転体１３は円錐形状に構成されているので、円盤状に形成される場合に比べて剛性及び強度が高く、また、回転軸が進行方向を向いているので、切断する際の反力は、回転軸の軸方向に作用する。このため、回転体１３を大きな力でドレーン材に押し付けることができるので、効率良くドレーン材を切断することができる。また、回転体１３の円錐面がドレーン材に面的に接し、その円錐面に取り付けた複数の切削チップ１２がドレーン材を切断するので、切断効率が良い。したがって、円錐形状の回転体１３は、鋼管等の硬いものからなるドレーン材であっても切断することができる。
【００２７】
ドレーン材の存在しない箇所を掘削する場合や切断装置８をメンテナンスする場合には、切断装置８をカッターヘッド６内に格納する。
【００２８】
図５は、切断装置８の格納方法を示す図である。図５に示すように、モーター１５及び回転体１３をカッターヘッド６本体内に格納したときに、土砂が開口部９を通過してカッターヘッド６本体内に流入することを防止するためのゲート２１と、このゲート２１を移動させるためのゲート用ジャッキ２２とから構成された開閉装置１０が設けられている。
【００２９】
例えば、切削チップ１２を交換するために切断装置８をカッターヘッド６内に格納するときは、まず、引込用ジャッキ１１を収縮させて切断装置８をカッターヘッド６内に没入させ、次に、ゲート用ジャッキ２２を伸張させてゲート２１で開口部９を閉止する。開口部９をゲート２１で閉止することにより、地山からカッターヘッド６本体内への土砂の流入を防止する。その後、図６に示すように、回転体１３をモーター１５から取り外し、切削チップ１２を新たなものに交換する。
【００３０】
交換後、再び、切断装置８でドレーン材を切断するときは、まず、ゲート用ジャッキ２２を収縮させて開口部９を開放し、次に、引込用ジャッキ１１を伸張させて切断装置８を進行方向前方に押し出す。このとき、切断装置８が開口部９を通過して、回転体１３がカッターヘッド６よりも進行方向前方に所定の長さだけ突出するように引込用ジャッキ１１を伸張させる。
【００３１】
次に、本発明の第二実施形態について説明する。以下の説明において、第一実施形態に対応する部分には同一の符号を付して説明を省略し、主に相違点について説明する。第二実施形態は、第一実施形態の円錐形状の回転体１３の代わりに円盤状の回転体２３を用いたものである。
【００３２】
図７は、本発明の第二実施形態に係る切断装置２８の側断面図である。
図７に示すように、切断装置２８は、複数の切削チップ１２と、これらのチップが取り付けられた円盤状の回転体２３と、モーター１５と、引込用ジャッキ１１と、を備える。
【００３３】
回転体２３は円盤状に構成されているため、ドレーン材を切断する際は、回転体２３の前面がドレーン材に面的に接し、その面に取り付けた複数の切削チップ１２がドレーン材を切断するので、切断効率が良い。
【００３４】
上述した各実施形態によれば、切断装置８、２８がカッターヘッド６よりも進行方向前方に突出するように設けられるので、ドレーン材を切断した後にそのドレーン材の周囲の地山を掘削することができる。また、切断装置８、２８は、各カッターヘッド６の外周側端部に設けられているので、掘削予定箇所に存在するドレーン材の上端及び下端を切断することができる。したがって、地山掘削時に、掘削予定箇所の上方及び下方に存在するドレーン材を引き込むことがなく、掘削予定箇所に存在するドレーン材のみを撤去することができる。
【００３５】
また、上述した各実施形態によれば、回転体１３、２３の回転軸は、シールド機１の進行方向に略平行になるように設けられているので、ドレーン材を切断する際の反力は回転軸の軸方向に作用し、回転軸に対して垂直に作用する力は小さい。このため、従来の回転体の回転軸に対して垂直な力が作用するように配置されている場合に比べて、切断装置８、２８の耐久性が向上する。
【００３６】
また、回転体１３、２３の回転軸は、シールド機１の進行方向に略平行になるように設けられているので、ドレーン材に面的に接触することとなり、回転体１３、２３の前面に取り付けられた複数の切削チップ１２により、ドレーン材を切断することができるので、短時間で効果的にドレーン材を切断することができる。
【００３７】
また、上述した各実施形態によれば、切断装置８、２８は、カッターヘッド６本体から出没可能に構成され、駆動時にカッターヘッド６よりも進行方向前方に突出し、メンテナンス時にカッターヘッド６本体内に没入するように構成されているので、切断装置８、２８をシールド機１、３１本体内に没入させた状態で効率良く、かつ、安全にメンテナンスすることができる。
【００３８】
また、上述した各実施形態において、矩形のシールド機１に切断装置８、２８を適用した場合について説明したが、この形状に限定されるものでなく、円形、楕円形等のシールド機１にも切断装置８、２８を適用することができる。
【００３９】
さらに、上述した各実施形態においては、切断が容易なドレーン材を切断する場合について説明したが、鋼管杭、セメント杭、岩石、岩盤等の硬いものを切断する場合には、切削チップ１２を硬いものに交換したり、回転体１３、２３の回転速度を高速にすることにより、切断が可能である。
【符号の説明】
【００４０】
１  シールド機
２  外殻
３  主シールド
５  シールドジャッキ
６  カッターヘッド
７  コンベア
８  切断装置
９  開口部
１０  開閉装置
１１  引込用ジャッキ
１２  切削チップ
１３  回転体
１５  モーター
２１  ゲート
２２  ゲート用ジャッキ
２３  回転体
２８  切断装置
【図１】
0005410205.tif 000002
【図２】
0005410205.tif 000003
【図３】
0005410205.tif 000004
【図４】
0005410205.tif 000005
【図５】
0005410205.tif 000006
【図６】
0005410205.tif 000007
【図７】
0005410205.tif 000008